(57)【要約】      （修正有）【課題】光学部品を移動させることなく小型化したプロジェクタを提供する。【解決手段】光源１４から射出される光により読み出される投影画像を表示する表示部１８と、前記投影画像を投影する投影レンズ２２と前記投影レンズから射出された光を設置面方向に反射するミラー２６とを備える投影光学系と、前記光源、前記表示部及び前記投影光学系を収容する筐体４と、前記投影光学系の光路上の空間に対して取り付けられた第１状態と前記光路上の空間から取り外された第２状態とに移動可能に設けられた収納部６と、前記筐体と前記収納部とを結合する結合部８，１０とを備える。【選択図】図４
2011102889.tif 000002
【特許請求の範囲】
【請求項１】
光源から射出される光により読み出される投影画像を表示する表示部と、
前記投影画像を投影する投影レンズと前記投影レンズから射出された光を設置面方向に反射するミラーとを備える投影光学系と、
前記光源、前記表示部及び前記投影光学系を収容する筐体と、
前記投影光学系の光路上の空間に対して取り付けられた第１状態と前記光路上の空間から取り外された第２状態とに移動可能に設けられた収納部と、
前記筐体と前記収納部とを結合する結合部と
を備えることを特徴とするプロジェクタ。
【請求項２】
前記収納部は、電子部品を収納することを特徴とする請求項１記載のプロジェクタ。
【請求項３】
前記電子部品は、バッテリ、電子基板及びスピーカのうちの少なくとも１つであることを特徴とする請求項２記載のプロジェクタ。
【請求項４】
前記収納部は、前記第１状態において前記投影光学系を保護する保護部材として機能することを特徴とする請求項１〜３の何れか一項に記載のプロジェクタ。
【請求項５】
前記収納部は、前記第２状態において前記筐体を支持する脚部として機能することを特徴とする請求項１〜４の何れか一項に記載のプロジェクタ。
【請求項６】
前記収納部は、前記第２状態において前記設置面に投影される前記投影画像の投影領域及び前記ミラーと前記投影領域との間の光路内に位置しないことを特徴とする請求項１〜５の何れか一項に記載のプロジェクタ。
【発明の詳細な説明】
【技術分野】
【０００１】
本発明は、プロジェクタに関するものである。
【背景技術】
【０００２】
机等の設置面に対して投影可能なプロジェクタが知られている（例えば、特許文献１参照）。このプロジェクタにおいては、小型化を図るため自由曲面ミラーを移動可能に構成し、投影しない場合には自由曲面ミラーを筐体に収納し、投影時には投影光学系の光路上の所定の位置に設置している。
【先行技術文献】
【特許文献】
【０００３】
【特許文献１】特開２００８−１３４３５０号公報
【発明の概要】
【発明が解決しようとする課題】
【０００４】
しかし、このプロジェクタにおいては、位置決め精度の高さが求められる光学系を構成する自由曲面ミラーを移動させるため、光学性能を確保するための機構を設ける必要があった。
【０００５】
本発明の目的は、光学部品を移動させることなく小型化したプロジェクタを提供することである。
【課題を解決するための手段】
【０００６】
本発明に係るプロジェクタは、光源から射出される光により読み出される投影画像を表示する表示部と、前記投影画像を投影する投影レンズと前記投影レンズから射出された光を設置面方向に反射するミラーとを備える投影光学系と、前記光源、前記表示部及び前記投影光学系を収容する筐体と、前記投影光学系の光路上の空間に対して取り付けられた第１状態と前記光路上の空間から取り外された第２状態とに移動可能に設けられた収納部と、前記筐体と前記収納部とを結合する結合部とを備えることを特徴とする。
【発明の効果】
【０００７】
本発明に係るプロジェクタによれば、光学部品を移動させることなく小型化したプロジェクタを提供することができる。
【図面の簡単な説明】
【０００８】
【図１】本発明の第１の実施の形態に係るプロジェクタの第１状態を示す斜視図である。
【図２】本発明の第１の実施の形態に係るプロジェクタの第２状態を示す斜視図である。
【図３】本発明の第１の実施の形態に係るプロジェクタの第１状態を示す側面図である。
【図４】本発明の第１の実施の形態に係るプロジェクタの投影時の状態を示す側面図である。
【図５】本発明の第１の実施の形態に係るプロジェクタの収納部の構成を示す図である。
【図６】本発明の第２の実施の形態に係るプロジェクタの第１状態を示す側面図である。
【図７】本発明の第２の実施の形態に係るプロジェクタの投影時の状態を示す側面図である。
【図８】本発明の第２の実施の形態に係るプロジェクタの収納部の構成を示す図である。
【図９】本発明の第３の実施の形態に係るプロジェクタの投影時の状態を示す側面図である。
【発明を実施するための形態】
【０００９】
以下、図面を参照して本発明の第１の実施の形態に係るプロジェクタについて説明する。図１は、実施の形態に係るプロジェクタの第１状態を示す斜視図であり、図２は、実施の形態に係るプロジェクタの第２状態を示す斜視図である。また、図３は、第１の実施の形態に係るプロジェクタの第１状態を示す側面図であり、図４は、第１の実施の形態に係るプロジェクタの投影時の状態を示す側面図である。
【００１０】
プロジェクタ２は、筐体４、収納部６を備え、収納部６は、図１及び図３に示す第１状態の位置と図２及び図４に示す第２状態の位置との間を移動可能に設けられている。なお、収納部６は筐体４とアーム８により結合され、回転中心１０を軸にアーム８を介して第１状態の位置と第２状態の位置との間の移動を行う。
【００１１】
また、図４に示すように、筐体４の内部には投影ユニット１２が設けられ、光源であるＬＥＤ（発光ダイオード）１４、ＬＥＤ１４から射出された光を集光するコンデンサレンズ１６、投射画像を表示するＬＣＯＳ（反射型液晶素子）１８、入射した光をＰ偏光成分の光とＳ偏光成分の光とに分離する偏光ビームスプリッタ２０、読み出された投影画像を投影する投影レンズ２２を備えている。また、筐体４には開口２４が設けられ、投影レンズ２２から射出された光は開口２４を介してミラー２６に入射する。
【００１２】
ここで、ミラー２６は、入射した光を反射し投影方向を設置面２８方向とする反射面を有している。また、プロジェクタ２を水平面である設置面２８上に設置したときに、ミラー２６から設置面２８までの画像の投影距離が一義的に定まるため、当該投影距離だけ離れた位置において鮮明な画像を結像できるように投影ユニット１２及びミラー２６を筐体４内の所定の位置にあらかじめ固定しておくことができる。
【００１３】
また、収納部６はバッテリ３０等の電子部品を収納し、これらの電子部品は筐体４に設けられたＬＥＤ１４、ＬＣＯＳ１８等の電子部品とアーム８に設けられた導線を介して電気的に接続されている。ここで、バッテリ３０等の電子部品は収納部６の側面３２に固定されている。
【００１４】
また、図１及び図３に示すように第１状態においては、収納部６は投影ユニット１２に備えられた投影レンズ２２及びミラー２６の保護部材として機能し、図２及び図４に示すように第２状態においては、収納部６の中央面３４が設置面２８に接し筐体４を支持する脚部として機能する。
【００１５】
また、図４に示すように第２状態において投影を行う際に収納部６は、投影画像の投影領域３６及び投影領域３６とミラー１６の間の光路内に位置しないように構成されている。
【００１６】
ここで、第２状態において収納部６を図５に示す状態から側面３２，３８を開いて図５（ｂ）に示す状態とすることができる。即ち、図５（ａ）示す形状である場合に収納部６の側面３２，３８が光路上に位置する場合には、図５（ｂ）に示すように側面３２，３８を設置面２８側へ開くことができる。また、第２状態において収納部６の投影領域３６側の先端部が投影領域３６内に位置する場合には先端部を筐体４方向へ折り曲げ可能な構成とする。
【００１７】
本実施の形態に係るプロジェクタによれば、投影光の光路として用いるために必要なスペースに収納時に電子部品を収納するため装置の小型化を図ることができる。
【００１８】
また、比較的重量のあるバッテリ等を固定した収納部により筐体を支持するため投影時に筐体を安定させることができる。
【００１９】
なお、上述の実施の形態においてはバッテリ３０等の電子部品を収納部６の側面３２に固定する構成を例に説明したが、収納部６の側面３８または中央面３４に固定する構成としてもよいし、側面３２，３８または中央面３４の２面以上に固定する構成としてもよい。
【００２０】
また、収納部６に電子部品としてバッテリ３０を固定する構成を例に説明したが、ＣＰＵ等を備える電子基板等を収納部６に固定する構成としてもよい。
【００２１】
次に、図面を参照して本発明の第２の実施の形態に係るプロジェクタについて説明する。なお、この第２の実施の形態に係るプロジェクタの構成は、第１の実施の形態に係るプロジェクタ２からアーム８を削除し、収納部を筐体に直接取り付ける構成としたものである。従って、第１の実施の形態と同一の構成についての詳細な説明は省略し、異なる部分のみについて詳細に説明する。また、第１の実施の形態と同一の構成には同一の符号を付して説明する。
【００２２】
図６は、第２の実施の形態に係るプロジェクタの第１状態を示す側面図であり、図７は、第２の実施の形態に係るプロジェクタの投影時の状態を示す側面図である。図６及び図７に示すように、プロジェクタ４２の収納部４６は回転軸４８においてビスまたはネジ等により筐体４４に対して回転可能に取り付けられている。従って、収納部４６は第１状態の位置と第２状態の位置との間を移動可能に構成されている。
【００２３】
また、図６に示すように、回転軸４８の設置面２８からの高さをＤ１、回転軸４８から収納部４６の端点５０との距離をＤ２とする。Ｄ１の値よりもＤ２の値の方が大きい場合には、図７に示すように投影を行う際、収納部４６は第２状態となり投影領域３６とミラー２６との光路上に位置することとなる。そのため図８（ａ）に示す形状である収納部４６を、図８（ｂ）に示すように収納部４６の側面５２，５４を設置面２８方向に対して折り曲げ可能に構成し、また、図８（ｃ）に示すように中央面５４の投影領域３６側に位置する領域５６を設置面２８方向に折り曲げ可能に構成する。従って投影時において収納部４６は図８（ｃ）に示す形状となるため、投影領域３６とミラー２６の光路上から収納部４６を退避させることができる。
【００２４】
また、Ｄ２の値よりもＤ１の値の方が大きい場合には、投影を行う際に収納部４６は第２状態となり中央面５４が筐体４４に接することとなる。この場合において、投影領域３６とミラー２６との光路上に収納部４６が位置することとなる場合には、収納部４６の側面５２，５４を筐体４４方向に折り曲げ可能に構成することにより、投影領域３６とミラー２６の光路上から収納部４６を退避させることができる。
【００２５】
本実施の形態に係るプロジェクタによれば、収納部を折り曲げ可能に構成することにより投射領域に収納部の影が投影されることを防ぐことができる。
【００２６】
なお、上述の各実施の形態においては第２状態において筐体に対して投影方向側、即ち筐体の前面側に収納部を配置する構成を例に説明したが、筐体に対して投影方向と反対側、即ち筐体の背面側に収納部を配置する構成としてもよい。この場合においても投影領域３６とミラー２６の光路上から収納部を退避させることができ、投射領域に収納部の影が投影されることを防ぐことができる。
【００２７】
次に、図面を参照して本発明の第３の実施の形態に係るプロジェクタについて説明する。なお、この第３の実施の形態に係るプロジェクタの構成は、第１の実施の形態に係るあるプロジェクタ２にスピーカを付加したものである。従って、第１の実施の形態と同一の構成についての詳細な説明は省略し、異なる部分のみについて詳細に説明する。また、第１の実施の形態と同一の構成には同一の符号を付して説明する。
【００２８】
図９は、第３の実施の形態に係るプロジェクタの投影時の状態を示す側面図である。図９に示すように収納部６には、バッテリ３０、スピーカ６０等の電子部品が固定されている。また、第２状態においてスピーカ６０は、投影領域３６方向に音声を出力するように配置されている。
【００２９】
本実施の形態に係るプロジェクタによれば、投影画像の近傍から音声の出力を行うことができ、筐体から音声を出力する場合と比して鑑賞者は違和感なく投影画像の鑑賞をすることができる。
【００３０】
なお、スピーカ６０は図５に示す側面３２，３８または中央面３４の何れに固定してもよい。また、２つのスピーカ用いて側面３２，３８にそれぞれ固定することによりステレオ機能を有するものとしてもよい。
【符号の説明】
【００３１】
２…プロジェクタ、４…筐体、６…収納部、８…アーム、１２…投影ユニット、１４…ＬＥＤ、１８…ＬＣＯＳ、２２…投影レンズ、２６…ミラー、３０…バッテリ
【図１】
2011102889.tif 000003
【図２】
2011102889.tif 000004
【図３】
2011102889.tif 000005
【図４】
2011102889.tif 000006
【図５】
2011102889.tif 000007
【図６】
2011102889.tif 000008
【図７】
2011102889.tif 000009
【図８】
2011102889.tif 000010
【図９】
2011102889.tif 000011